(57)【要約】【課題】使用者において、自己の現在位置の確認等の処理を正確に行わせることが可能な情報表示装置等を提供する。【解決手段】交差点等についての複数の道路Ｄ夫々の風景を示す画像で構成され、当該交差点等に対応付けられた画像グループＧＧと、一の交差点等に対応付けられた一の画像グループＧＧと、当該一の交差点等に関係する複数の道路上の夫々を当該一の交差点等から移動したときに到達する他の交差点等の夫々に対応付けられた他の画像グループＧＧの夫々と、を関連付けるポインタ１２と、を記憶しておく。  自身の現在位置を探索する場合、過去に記憶している交差点等に対応する画像グループＧＧを先ず検索し、その後はポインタ１２により示される他の交差点等に対応する画像グループＧＧを呼出ながら、自身の現在位置までの過去の軌跡を辿る。【選択図】図３
2010139254.tif 000002
【特許請求の範囲】
【請求項１】
施設又は地点のいずれか一方である対応付け対象に対応付けられた風景情報群であって、複数の道夫々の風景を示す風景情報で構成された風景情報群と、
一の前記対応付け対象に対応付けられた一の前記風景情報群と、当該一の対応付け対象から移動したときに到達する他の前記対応付け対象に対応付けられた他の前記風景情報群と、を関連付ける関連付情報と、
を記憶する記憶手段と、
一の前記風景情報群を選択するために用いられる第１選択手段と、
前記選択された一の風景情報群に含まれる前記風景情報の少なくともいずれか一つを選択するために用いられる第２選択手段と、
前記風景情報が前記第２選択手段によって選択されたとき、当該選択された風景情報により示される風景の前記道上を移動したときに到達する他の前記対応付け対象に対応付けられた他の前記風景情報群を、前記第１選択手段により選択された一の前記風景情報群に対応する前記関連付情報に基づいて前記記憶手段内において検索する検索手段と、
前記検索された他の風景情報群に含まれる前記風景情報を表示手段に表示させる表示制御手段と、
前記第２選択手段により選択された前記風景情報を用いた他の前記風景情報群の検索処理と、前記検索された他の風景情報群に含まれる前記風景情報を前記表示手段に表示させる表示制御処理と、を、前記第２選択手段により前記風景情報が選択される度に繰り返すように前記検索手段及び前記表示制御手段を制御する制御手段と、
を備えることを特徴とする情報表示装置。
【請求項２】
請求項１に記載の情報表示装置において、
各前記対応付け対象は、前記道と接続された一又は複数の出口を有する前記施設であることを特徴とする情報表示装置。
【請求項３】
請求項２に記載の情報表示装置において、
各前記風景情報群は、当該風景情報群を構成する前記風景情報により示される前記風景の前記道と接続された前記出口を有する前記施設の名称と対応付けられており、
前記第１選択手段は、
最初の前記風景情報群を選択するに当たり、当該最初の風景情報群が対応付けられる前記施設の名称を入力するために用いられる入力手段と、
前記入力された名称により示される前記施設に対応する前記風景情報群を前記記憶手段内において検索する風景情報群検索手段と、
を備えることを特徴とする情報表示装置。
【請求項４】
請求項１に記載の情報表示装置において、
各前記対応付け対象は、前記道上の分岐点又は交差点のいずれかであることを特徴とする情報表示装置。
【請求項５】
請求項４に記載の情報表示装置において、
各前記風景情報群は、当該風景情報群を構成する前記風景情報により示される前記風景の前記道上の前記分岐点又は前記交差点のいずれかの名称と対応付けられており、
前記第１選択手段は、
最初の前記風景情報群を選択するに当たり、当該最初の風景情報群が対応付けられる前記いずれかの名称を入力するために用いられる入力手段と、
前記入力された名称により示される前記いずれかに対応する前記風景情報群を前記記憶手段内において検索する風景情報群検索手段と、
を備えることを特徴とする情報表示装置。
【請求項６】
請求項１から５のいずれか一項に記載の情報表示装置において、
前記風景情報は当該風景情報により示される前記風景に相当する風景画像情報であり、
各前記風景情報群が、当該風景情報群に対応する前記対応付け対象から見て連続するように、当該風景情報群を構成する複数の前記風景画像情報を接続したパノラマ風景画像情報を含み、
前記表示制御手段は、前記検索された風景情報群に含まれる前記パノラマ風景画像情報に相当するパノラマ風景画像を前記表示手段に表示させることを特徴とする情報表示装置。
【請求項７】
請求項１から６のいずれか一項に記載の情報表示装置において、
前記表示制御手段は、前記検索手段により検索された前記風景情報群に含まれる前記風景情報のうち、前記第２選択手段により選択された前記風景情報の前記道以外の前記道の前記風景情報を前記表示手段に表示させることを特徴とする情報表示装置。
【請求項８】
請求項１から７のいずれか一項に記載の情報表示装置において、
前記記憶手段は、各前記風景情報群が対応付けられている前記対応付け対象の地図上の位置を示す位置情報を、各前記風景情報群に夫々対応付けて更に記憶しており、
前記表示制御手段は、最終的に前記表示手段に表示された前記風景情報を含む前記風景情報群に対応する前記位置情報を、当該表示手段に表示する位置表示制御手段を更に備えることを特徴とする情報表示装置。
【請求項９】
施設又は地点のいずれか一方である対応付け対象に対応付けられた風景情報群であって、複数の道夫々の風景を示す風景情報で構成された風景情報群と、
一の前記対応付け対象に対応付けられた一の前記風景情報群と、当該一の対応付け対象から移動したときに到達する他の前記対応付け対象に対応付けられた他の前記風景情報群と、を関連付ける関連付情報と、
を記憶する記憶手段を備える情報表示装置において実行される情報表示方法であって、
一の前記風景情報群を選択する第１選択工程と、
前記選択された一の風景情報群に含まれる前記風景情報の少なくともいずれか一つを選択する第２選択工程と、
前記風景情報が前記第２選択工程において選択されたとき、当該選択された風景情報により示される風景の前記道上を移動したときに到達する他の前記対応付け対象に対応付けられた他の前記風景情報群を、前記選択された一の風景情報群に対する前記関連付情報に基づいて前記記憶手段内において検索する検索工程と、
前記検索された他の風景情報群に含まれる前記風景情報を表示手段に表示させる表示制御工程と、
前記第２選択工程において選択された前記風景情報を用いた他の前記風景情報群の検索処理と、前記検索された他の風景情報群に含まれる前記風景情報を前記表示手段に表示させる表示制御処理と、を、前記第２選択工程において前記風景情報が選択される度に繰り返させるように制御する制御工程と、
を含むことを特徴とする情報表示方法。
【請求項１０】
請求項１から８のいずれか一項に記載の情報表示装置に含まれるコンピュータを、
前記検索手段、
前記表示制御手段、及び、
前記制御手段、
として機能させることを特徴とする情報表示用プログラム。
【請求項１１】
請求項１から８のいずれか一項に記載の情報表示装置に備えられた前記記憶手段に記憶されている前記風景情報群及び前記関連付情報のデータ構造であって、
一の前記風景情報群に含まれている各前記風景情報の夫々に相当する前記風景情報の各々は、
当該風景情報を識別するための風景情報識別データと、
当該風景情報が含まれる前記風景情報群に対応する前記対応付け対象において当該風景情報の前記道に隣接する他の前記道の前記風景情報を識別するための隣接風景情報識別データと、
当該風景情報の前記道上を移動したときに到達する他の前記対応付け対象に対応付けられている他の前記風景情報群を識別し且つ前記関連付情報としての風景情報群識別データと、
前記風景情報識別データ及び前記隣接風景情報識別データにより夫々識別される各前記風景情報自体である風景情報データと、
により構成されており、
前記風景情報群に相当するデータの先頭又は当該風景情報群に含まれている前記風景情報に相当するデータの先頭の少なくともいずれか一方には、当該風景情報群に対応する前記対応付け対象を示す指示情報が記述されていることを特徴とするデータ構造。
【発明の詳細な説明】
【技術分野】
【０００１】
本願は、情報表示装置及び情報表示方法、情報表示用プログラム及びデータ構造の技術分野に属し、より詳細には、画像等の情報を表示して使用者に必要な情報を提供する情報表示装置及び情報表示方法、情報表示用プログラム並びに当該情報表示用のデータ構造の技術分野に属する。
【背景技術】
【０００２】
従来、歩行者や車両等を出発地から目的地に誘導する経路誘導システムにおいて、目的地への経路の誘導をより分かり易くするために様々な技術が開示されている。
【０００３】
それらの技術の一例として、例えば下記特許文献１に例示されるように、ＧＰＳ（Global Positioning System）測位結果等を用いて検出された現在位置を含む平面地図を携帯端末の表示画面に表示し、当該平面地図の状況と実際に使用者が存在する位置における周囲の風景とをその位置において当該使用者自らが照合することによって、その使用者が自己の正確な位置を確認するものがある。
【０００４】
一方、当該平面地図に相当する地図情報を含む画像情報を表示する際に用いられる当該画像情報の管理方法として、例えば下記特許文献２に開示されている管理方法がある。
【特許文献１】特開平１０−２５３３７１号公報
【特許文献２】特開２００２−１９１０１５公報
【発明の開示】
【発明が解決しようとする課題】
【０００５】
しかしながら、上記特許文献１に開示されている技術では、携帯端末の表示画面に表示された平面地図だけでは、実際に使用者が存在する位置における周囲の風景との照合が難しい場合がある。そしてこの場合、例えばＧＰＳ測位結果の誤差に気付いた際等、使用者が自己の正確な位置の確認と、当該正確な位置への補正をすることと、が共に難しくなってしまう場合があるという問題点があった。
【０００６】
また、上記特許文献２は、撮像された画像を単にグループ毎に分類して管理する技術に関するものを開示するに過ぎず、上述した如き経路誘導に関わる内容については、開示も示唆も一切見当たらない。
【０００７】
そこで、本願は上記の問題点等に鑑みて為されたもので、その課題の一例は、使用者において、自己の現在位置の確認等の処理を正確に行わせることが可能な情報表示装置等を提供することにある。
【課題を解決するための手段】
【０００８】
上記の課題を解決するために、請求項１に記載の発明は、施設又は地点のいずれか一方である対応付け対象に対応付けられた風景情報群であって、複数の道夫々の風景を示す風景情報で構成された風景情報群と、一の前記対応付け対象に対応付けられた一の前記風景情報群と、当該一の対応付け対象から移動したときに到達する他の前記対応付け対象に対応付けられた他の前記風景情報群と、を関連付ける関連付情報と、を記憶する記憶部等の記憶手段と、一の前記風景情報群を選択するために用いられる操作部等の第１選択手段と、前記選択された一の風景情報群に含まれる前記風景情報の少なくともいずれか一つを選択するために用いられる操作部等の第２選択手段と、前記風景情報が前記第２選択手段によって選択されたとき、当該選択された風景情報により示される風景の前記道上を移動したときに到達する他の前記対応付け対象に対応付けられた他の前記風景情報群を、前記第１選択手段により選択された一の前記風景情報群に対応する前記関連付情報に基づいて前記記憶手段内において検索するシステム制御部等の検索手段と、前記検索された他の風景情報群に含まれる前記風景情報を表示手段に表示させるシステム制御部等の表示制御手段と、前記第２選択手段により選択された前記風景情報を用いた他の前記風景情報群の検索処理と、前記検索された他の風景情報群に含まれる前記風景情報を前記表示手段に表示させる表示制御処理と、を、前記第２選択手段により前記風景情報が選択される度に繰り返すように前記検索手段及び前記表示制御手段を制御するシステム制御部等の制御手段と、を備える。
【０００９】
上記の課題を解決するために、請求項９に記載の発明は、施設又は地点のいずれか一方である対応付け対象に対応付けられた風景情報群であって、複数の道夫々の風景を示す風景情報で構成された風景情報群と、一の前記対応付け対象に対応付けられた一の前記風景情報群と、当該一の対応付け対象から移動したときに到達する他の前記対応付け対象に対応付けられた他の前記風景情報群と、を関連付ける関連付情報と、を記憶する記憶部等の記憶手段を備える情報表示装置において実行される情報表示方法であって、一の前記風景情報群を選択する第１選択工程と、前記選択された一の風景情報群に含まれる前記風景情報の少なくともいずれか一つを選択する第２選択工程と、前記風景情報が前記第２選択工程において選択されたとき、当該選択された風景情報により示される風景の前記道上を移動したときに到達する他の前記対応付け対象に対応付けられた他の前記風景情報群を、前記選択された一の風景情報群に対する前記関連付情報に基づいて前記記憶手段内において検索する検索工程と、前記検索された他の風景情報群に含まれる前記風景情報を表示手段に表示させる表示制御工程と、前記第２選択工程において選択された前記風景情報を用いた他の前記風景情報群の検索処理と、前記検索された他の風景情報群に含まれる前記風景情報を前記表示手段に表示させる表示制御処理と、を、前記第２選択工程において前記風景情報が選択される度に繰り返させるように制御する制御工程と、を含む。
【００１０】
上記の課題を解決するために、請求項１０に記載の発明は、請求項１から８のいずれか一項に記載の情報表示装置に含まれるコンピュータを、前記検索手段、前記表示制御手段、及び、前記制御手段、として機能させる。
【００１１】
上記の課題を解決するために、請求項１１に記載の発明は、請求項１から８のいずれか一項に記載の情報表示装置に備えられた前記記憶手段に記憶されている前記風景情報群及び前記関連付情報のデータ構造であって、一の前記風景情報群に含まれている各前記風景情報の夫々に相当する前記風景情報の各々は、当該風景情報を識別するための風景情報識別データと、当該風景情報が含まれる前記風景情報群に対応する前記対応付け対象において当該風景情報の前記道に隣接する他の前記道の前記風景情報を識別するための隣接風景情報識別データと、当該風景情報の前記道上を移動したときに到達する他の前記対応付け対象に対応付けられている他の前記風景情報群を識別し且つ前記関連付情報としての風景情報群識別データと、前記風景情報識別データ及び前記隣接風景情報識別データにより夫々識別される各前記風景情報自体である風景情報データと、により構成されており、前記風景情報群に相当するデータの先頭又は当該風景情報群に含まれている前記風景情報に相当するデータの先頭の少なくともいずれか一方には、当該風景情報群に対応する前記対応付け対象を示す指示情報が記述されている。
【発明を実施するための最良の形態】
【００１２】
次に、本願を実施するための最良の形態について、図面に基づいて説明する。
【００１３】
（Ｉ）実施形態
先ず、本願に係る実施形態について、図１乃至図６を用いて説明する。なお、以下に説明する実施形態は、携帯型の情報処理装置、より具体的には例えば携帯型無線電話機（以下、単に携帯電話と称する）を用いてその使用者が自身の現在位置を特定する場合に対して、本願を適用した場合の実施の形態である。
【００１４】
また、図１乃至図３は実施形態に係る本願の原理等を説明する図であり、図４は実施形態に係る携帯電話の構成を示すブロック図であり、図５は当該携帯電話における実施形態に係る動作を示すフローチャートであり、図６は当該動作を概念的に説明する図である。
【００１５】
（Ａ）本願の原理
初めに、本願の原理について図１及び図２を用いて説明する。
【００１６】
図１（ａ）においては、道路Ｄ１乃至Ｄ４が交差点ｉにおいて交差しており、また道路Ｄ２、Ｄ５及びＤ６が交差点ｋにおいて交差していることが概念的に示されている。この構成において、実施形態に係る携帯電話内には、例えば交差点ｉから人が各道路Ｄ１乃至Ｄ４を夫々移動して行ったときに目に入る特徴的な風景や地物或いは目立つ看板等（以下、これらを纏めて単に風景等と称する）に相当する画像Ｐi1乃至Ｐi4が蓄積されている。これと同様に、当該携帯電話内には、交差点ｋから人が各道路Ｄ２、Ｄ５及びＤ６を夫々移動して行ったときに目に入る風景等に相当する画像Ｐk1乃至Ｐk3もまた、蓄積されている。この場合、道路Ｄ２については、交差点ｉから交差点ｋに向けて移動して行った時に目に入る風景等に相当する画像Ｐi2と、交差点kから交差点ｉに向けて移動して行った時に目に入る風景等に相当する画像Ｐk3と、が蓄積されていることになる。
【００１７】
そして、交差点ｉについての画像Ｐi1乃至Ｐi4は、図１（ａ）において破線両矢印で示すように、交差点ｉ自体に対してではなく、画像Ｐi1乃至Ｐi4相互間で対応付けられている。そして、これら四つの画像Ｐiにより、交差点ｉの名称に対応付けられた一つの画像グループを構成して携帯電話内に不揮発性に記憶されている。またこれと同様に、交差点ｋについての画像Ｐk1乃至Ｐk3は、これも図１において破線両矢印で示すように交差点k自体に対してではなく、画像Ｐk1乃至Ｐk3相互間で対応付けられている。そして、これら三つの画像Ｐkにより、交差点ｋの名称に対応付けられた一つの画像グループを構成して携帯電話内に不揮発性に記憶されている。
【００１８】
一方、交差点ｉと交差点ｋとを接続する道路Ｄ２を交差点ｉから移動して行ったときに目に入る風景等に相当する画像Ｐi2には、図１において一点鎖線矢印で示すように、交差点ｋについての画像Ｐk1乃至Ｐk3により構成される上記画像グループを代表する画像として予め設定されている画像Ｐk1が対応付けられている。また、交差点kから上記道路Ｄ２を移動して行ったときに目に入る風景等に相当する画像Ｐk3には、上記画像Ｐi2と同様に、交差点ｉについての画像Ｐi1乃至Ｐi4により構成される上記画像グループを代表する画像Ｐとして、予め設定されているいずれかの画像Ｐiが対応付けられている。
【００１９】
このように、実施形態に係る各画像Ｐの対応関係としては、交差点ｉ又はｋ等に係る例えば位置情報（緯度／経度等の位置情報）に夫々の画像Ｐが対応付けられているのではなく、一つの交差点ｉ等の名称に対応付けられた画像グループを構成する画像Ｐ同士が対応付けられるように携帯電話内に記憶されている。これに加えて、一つの道路Ｄで結ばれている交差点ｉ等（図１（ａ）に例示する場合は道路Ｄ２で結ばれている交差点ｉと交差点ｋ）の名称に夫々対応付けられた画像グループ同士は、その道路Ｄの風景等に相当する一方の画像Ｐのいずれかに対して、当該道路Ｄの風景等に相当する他方の画像グループを代表する画像Ｐが対応付けられている。
【００２０】
以上説明した対応関係を有することにより、実施形態に係る携帯電話では、例えば図１に例示する画像Ｐi2を選択した場合、それが含まれている画像グループに対して画像同士の関連付け（図１（ａ）中一点鎖線矢印参照）により対応付けられている他の画像グループに含まれる上記画像Ｐk1乃至Ｐk3が、順次に又は同時にその携帯電話上に表示される。そして、過去に通った道路Ｄについての風景等を思い出しつつこの動作を交差点又は分岐点毎に繰り返すことで、最終的に使用者自身が位置する現在位置を地図上において特定することができるのである。
【００２１】
また、図１に例示する本願に係る画像等のデータ構造を採った場合、相互に対応付けられた複数の画像Ｐ（図１（ａ）に例示する場合は、例えば画像Ｐi1乃至Ｐi4）を含む一の画像グループを、複数の交差点又は分岐点を含む一定の広さを持った領域の名称に対応付けることも可能となる。
【００２２】
より具体的には、例えば図１（ｂ）に例示するような施設Ｆがあり、その周辺の地勢としては、施設Ｆを囲む周回道路Ｃがあり、更に当該周回道路Ｃ上の交差点ｆ１乃至ｆ４から、夫々道路Ｄ１０乃至Ｄ１３が施設Ｆから離れる方向に敷設されているとする。そして、各道路Ｄ１０乃至Ｄ１３の夫々について、施設Ｆからその道路を移動して行ったときに目に入る特徴的な風景等に相当する画像Ｐf1乃至Ｐf4が蓄積されているとする。このような施設Ｆの具体例としては、例えば各交差点ｆ１乃至ｆ４に至る出口を有する駅や百貨店等が考えられる。
【００２３】
そして、この施設Ｆ並びに画像Ｐf1乃至Ｐf4について本願に係る画像等のデータ構造を採った場合には、その施設Ｆから離れる方向に移動して行った場合に必ず通過するはずの道路Ｄ１０乃至Ｄ１４の夫々を当該移動して行ったときに目に入る各風景等に夫々相当する画像Ｐf1乃至Ｐf4により、当該施設Ｆの名称に対応付けられた一の画像グループが構成されることになる。これにより、施設Ｆのように出口等が複数ある施設でも、当該出口の各々ではなく、図１（ｂ）に点線楕円で例示されるように施設Ｆ全体としてその名称が一つの画像グループに対応付けられる。このことは、当該出口が具体的に特定できない場合でも、「施設Ｆから移動した場合に通る道路についての画像Ｐのいずれか」と言う特定方法が可能となることを意味する。換言すれば、施設Ｆの複数の出口のいずれかまで具体的に特定できない場合でも、施設Ｆ全体としてその名称（例えば「○○駅」又は「□□デパート」）を特定できさえすれば、その施設Ｆからいずれかの道路Ｄを移動して行った場合に必ず目に入る特徴的な風景等の記憶を、その名称に対応付けられている画像グループを構成する画像Ｐf1乃至Ｐf4を表示することで蘇らせて現在位置の特定に供させることができることとなる。
【００２４】
なお、図１（ｂ）に例示した施設Ｆを含む地勢と同様の領域であって、画像Ｐi1乃至Ｐi4により構成される一の画像グループに対応付けられる領域としては、例えば図２（ａ）に例示するような、道路Ｄ１０乃至Ｄ１３に夫々一対一に接続されている出口ＥＸ１乃至ＥＸ４を備える施設Ｆを含んで点線楕円で示される領域が考えられる。また同様の領域として、例えば図２（ｂ）に例示するような、出口ＥＸ１、ＥＸ２及びＥＸ４に夫々繋がる道路Ｄ１０、Ｄ１１及びＤ１３に対して夫々交差点ｆ１、ｆ２及びｆ４で接続されている周回道路Ｃがあり、施設Ｆを含んで点線楕円で示される領域も考えられる。これら図２に夫々例示する場合でも、各道路Ｄ１０乃至Ｄ１３の夫々について、施設Ｆからその道路を移動して行ったときに目に入る特徴的な風景等に相当する画像が、画像Ｐf1乃至Ｐf4であることになる。
【００２５】
（Ｂ）本願に係るデータ構造
次に、本願に係る画像グループ並びにこれを構成する画像Ｐ各々のデータ構造について、具体的に図３に例示しつつ説明する。
【００２６】
本願に係る画像Ｐは、具体的には図３に例示するデータ構造をもって、実施形態に係る携帯電話内に備えられた後述する記憶部内に不揮発性に記憶されている。このとき、一の画像Ｐに対応する一の画像ファイルＧＦは、ポインタ１０乃至１２と、当該画像Ｐ自体に相当する画像データ１３と、により構成されている。
【００２７】
この構成において、ポインタ１０は、当該画像Ｐ自体に相当する画像データの記憶部における記憶位置を示すポインタである。また一又は複数のポインタ１１は、当該画像Ｐと共に当該画像Ｐが属する画像グループを構成するものとして図１に破線両矢印で例示したように関連付けられている他の画像Ｐ（具体的には、例えば図１（ａ）を用いて例示した画像Ｐi1についての画像Ｐi2乃至Ｐi4）夫々自体に相当する画像データの上記記憶部における記憶位置を示すポインタである。更にポインタ１２は、当該画像Ｐが含まれている画像グループに対して上述した画像同士の関連付け（図１（ａ）及び図３中一点鎖線矢印参照）により対応付けられている他の画像グループを代表する他の画像Ｐに相当する画像データの記憶部における記憶位置を示すポインタ１２と、により構成されている。
【００２８】
そして、この構成を備える画像ファイルＧＦが、その画像Ｐが属する画像グループに含まれている画像Ｐの数だけ含まれて一の画像グループＧＧが構成され、この画像グループＧＧには、その画像グループＧＧが対応付けられる地点の名称を示す名称データＮＭと、その地点の地図上の位置（より具体的にはその地点の位置を示す緯度／経度）を示す位置データＰＯＳと、が含まれる。なおこの名称データＮＭは、記憶部においてそれが対応する画像グループＧＧの先頭の位置に記憶されているのが好適である。
【００２９】
より具体的には、例えば図１（ａ）で例示した交差点ｉの場合、図３上側に例示するように、画像Ｐi1に相当し且つポインタ１０乃至１２及び画像データ１３により構成される画像ファイルＧＦＰi1と、画像Ｐi2に相当し且つ画像ファイルＧＦＰi1と同様の構成を備える画像ファイルＧＦＰi2と、画像Ｐi3に相当し且つ画像ファイルＧＦＰi1と同様の構成を備える画像ファイルＧＦＰi3と、画像Ｐi4に相当し且つ画像ファイルＧＦＰi1と同様の構成を備える画像ファイルＧＦＰi4と、交差点ｉの名称である名称データＮＭと、交差点ｉの位置を示す位置データＰＯＳと、により、当該交差点ｉに対応する画像グループＧＧＰiが構成されている。
【００３０】
そして、当該画像グループＧＧＰi内おける画像Ｐ同士の関連付け（図１中破線両矢印参照）を示すものとして、画像ファイルＧＦＰi1を構成するポインタ１１としては画像Ｐi2及び画像Ｐi4夫々自体に相当する画像データ１３の記憶部における記憶位置が記述されている。また同様に、画像ファイルＧＦＰi2を構成するポインタ１１としては画像Ｐi3及び画像Ｐi1夫々自体に相当する画像データ１３の記憶部における記憶位置が記述されており、画像ファイルＧＦＰi3を構成するポインタ１１としては画像Ｐi4及び画像Ｐi2夫々自体に相当する画像データ１３の記憶部における記憶位置が記述されており、画像ファイルＧＦＰi4を構成するポインタ１１としては画像Ｐi1及び画像Ｐi3夫々自体に相当する画像データ１３の記憶部における記憶位置が記述されている。
【００３１】
一方、図１（ａ）で例示した交差点ｋの場合、図３下側に例示するように、画像Ｐk1に相当し且つポインタ１０乃至１２及び画像データ１３により構成される画像ファイルＧＦＰk1と、画像Ｐk2に相当し且つ画像ファイルＧＦＰk1と同様の構成を備える画像ファイルＧＦＰk2と、画像Ｐk3に相当し且つ画像ファイルＧＦＰk1と同様の構成を備える画像ファイルＧＦＰk3と、交差点ｋの名称である名称データＮＭと、交差点ｋの位置を示す位置データＰＯＳと、により、当該交差点ｋに対応する画像グループＧＧＰkが構成されている。
【００３２】
そして、当該画像グループＧＧＰk内おける画像Ｐ同士の関連付け（図１中破線両矢印参照）を示すものとして、画像ファイルＧＦＰk1を構成するポインタ１１としては画像Ｐk2及び画像Ｐk3夫々自体に相当する画像データ１３の記憶部における記憶位置が記述されている。また同様に、画像ファイルＧＦＰk2を構成するポインタ１１としては画像Ｐk3及び画像Ｐk1夫々自体に相当する画像データ１３の記憶部における記憶位置が記述されており、画像ファイルＧＦＰk3を構成するポインタ１１としては画像Ｐk1及び画像Ｐk2夫々自体に相当する画像データ１３の記憶部における記憶位置が記述されている。
【００３３】
これらに加えて、図１（ａ）に一点鎖線矢印で例示した交差点ｉに対応する画像グループＧＧＰiと交差点ｋに対応する画像グループＧＧＰkとの対応関係を示すものとしては、当該画像グループＧＧＰiに属する画像Ｐi2に対して画像グループＧＧＰkを代表するものとして当該画像グループＧＧＰkに属する画像Ｐk1が関連付けられている場合、画像ファイルＧＦＰi2のポインタ１２として、画像ファイルＧＦＰk1に含まれる画像データ１３の記憶部上の記憶位置が記述されている。
【００３４】
なお、上述した名称データＮＭ及び位置データＰＯＳの夫々は、それらが含まれている画像グループＧＧに対応付けられているものであり、当該画像グループＧＧに含まれている画像ファイルＧＦの各々に個別に対応付けられているのではない。
【００３５】
（Ｃ）実施形態
次に、上述してきた原理に則った本願の実施形態について、図４乃至図６を用いて説明する。
【００３６】
図４に示すように、実施形態に係る携帯電話ＭＰは、通信部２１と、マイク等からなる音声入力部２２と、スピーカ等からなる音声出力部２３と、液晶ディスプレイ等からなる表示手段としての表示部２４と、数字ボタン、記号ボタン及びカーソル等からなる第１選択手段及び第２選択手段としての操作部２５と、不揮発性領域及び揮発性領域を共に備える記憶手段としての上記記憶部２６と、ＣＰＵ等からなる検索手段、表示制御手段及び制御手段としてのシステム制御部２７と、により構成されており、これら通信部２１、音声入力部２２、音声出力部２３、表示部２４、操作部２５、記憶部２６及びシステム制御部２７は、バス２８により相互にデータの授受が可能に接続されている。
【００３７】
この構成において、通信部２１には図示しないアンテナが接続されており、システム制御部２７の制御の下、予め定められている通信規格に準拠しつつ、携帯電話ＭＰに係る通信事業者の回線又はインターネット等のネットワークとの間のデータ（音声データを含む）の授受を制御する。
【００３８】
また、音声入力部２２は使用者の音声を検出して音声データとしてバス２８を介してシステム制御部２７に出力する。更に音声出力部２３は、使用者に対して放音すべき音声データをバス２８を介してシステム制御部２７から受信し、これを当該使用者に対して音声として放音する。
【００３９】
また表示部２４は、システム制御部２７の制御の下、上記各画像Ｐを視認可能に表示する他、携帯電話ＭＰとしての通話又は使用者の案内のために必要な情報を画像として表示する。更に操作部２５は、上記各種ボタンやカーソル等の操作により入力された情報をバス２８を介してシステム制御部２７に出力する。
【００４０】
更に記憶部２６は、図３を用いて例示したデータ構造をもって各画像ファイルＧＦ等を不揮発性に記憶すると共に、携帯電話ＭＰとしての機能発揮上必要とされるプログラムや電話帳データ等のデータを記憶し、システム制御部２７との間でバス２８を介して当該データを授受する。
【００４１】
そしてシステム制御部２７は、上記記憶部２６を含む各構成部材との間でバス２８を介したデータの授受を行いつつ、実施形態としての動作及び携帯電話ＭＰとしての通常の通話動作等を統括制御する。
【００４２】
次に、図４に例示した構成を備える実施形態に係る携帯電話ＭＰにおいて実行される、実施形態に係る画像表示による案内動作について、図５及び図６を用いて説明する。なお、図５及び図６を用いて説明する案内動作は、携帯電話ＭＰを携行する使用者が、過去に移動してきた地点や道路周辺の風景等を、表示部２４に表示される画像Ｐを見ることによって思い出しつつ、最終的に自身の現在位置を特定するための案内動作である。
【００４３】
図５に示すように、実施形態に係る案内動作においては、先ず、例えば図１に例示した交差点ｉ又はｋ等の地点を示す名称が、使用者により操作部２５を用いて入力されると、当該入力された名称に相当する地点を記憶部２６内において検索する（ステップＳ１）。この時の検索動作には、図３に示す名称データＮＭが手掛かりとされる。
【００４４】
次に、入力された名称に対応する地点が検索されると、その地点に対応付けられている画像グループＧＧに属する画像ファイルＧＦに対応する一又は複数の画像Ｐに相当する画像データ１３が、当該画像ファイルＧＦ内のポインタ１１の記述内容に基づいて記憶部２６内おいてシステム制御部２７により検索／特定される（ステップＳ２）。その後システム制御部２７は、当該検索／特定した画像データ１３のうち、何れか一つの画像データ１３に相当する当該一の画像Ｐを表示部２４に表示する（ステップＳ３）。
【００４５】
そして、当該画像Ｐを見た使用者は、その表示内容を確認して現在位置周辺の風景等と比較し、その比較結果を操作部２５を用いて入力する。これにより、当該表示されている画像Ｐのいずれかが使用者の現在位置周辺の風景と合致しているか否かが、操作部２５における操作内容に基づいてシステム制御部２７により確認される（ステップＳ４）。
【００４６】
このステップＳ４の判定により、表示されている画像Ｐのいずれかが使用者の現在位置周辺の風景と合致している旨の操作が操作部２５において為されているとき（ステップＳ４；ＹＥＳ）、システム制御部２７は、当該表示している画像Ｐが属する画像グループＧＧに対応付けられている位置データＰＯＳを読み出すことにより使用者の現在位置を特定し、これを地図等と共に表示部２４上に表示して（ステップＳ５）、実施形態に係る案内動作を終了する。これにより、携帯電話ＭＰの使用者が自信の現在位置を認識できることとなる。
【００４７】
一方、上記ステップＳ４の判定において、現在表示部２４に表示されている画像Ｐのいずれもが使用者の現在位置周辺の風景と合致していない旨の操作が操作部２５において為されているとき（ステップＳ４；ＮＯ）、システム制御部２７は次に、現在表示されている画像Ｐのいずれかが、過去にその使用者が辿った道路Ｄ周辺の風景のいずれかと合致しているか否かを示す操作が操作部２５において為されたか否かを確認する（ステップＳ６）。そして、過去に辿った道路Ｄ周辺の風景のいずれかと合致している旨の操作が操作部２５において為されたとき（ステップＳ６；ＹＥＳ）、システム制御部２７は、表示部２４に現在表示されている画像Ｐに相当する画像ファイルＧＦ内のポインタ１２の記述内容に基づき、その画像ファイルＧＦが属する画像グループＧＧに関連付けられている（図３一点鎖線矢印参照）他の画像グループＧＧを代表する画像Ｐに相当する一の画像ファイルＧＦを記憶部２６内おいて検索／特定する（ステップＳ６）。その後システム制御部２７は、当該検索／特定された画像ファイルＧＦ内の画像データ１３を用いて上記ステップＳ３の動作に戻り、当該検索／特定した画像データ１３のうち、何れか一つの画像データ１３に相当する当該一の画像Ｐを表示部２４に表示する（ステップＳ３）。これ以降、システム制御部２７は、上述してきたステップＳ３乃至Ｓ７の動作を、当該表示されている画像Ｐについて繰り返す。
【００４８】
他方、上記ステップＳ６の判定において、過去に辿った道路Ｄ周辺の風景のいずれとも合致していない旨の操作が操作部２５において為されたとき（ステップＳ６；ＮＯ）、システム制御部２７は、現在表示部２４に表示されている画像Ｐに相当する画像ファイルＧＦが属する画像グループＧＧ内の他の画像ファイルＧＦを記憶部２６内おいて検索／特定する（ステップＳ８）。その後システム制御部２７は、当該検索／特定された画像ファイルＧＦ内の画像データ１３を用いて上記ステップＳ３の動作に戻り、当該検索／特定した画像データ１３のうち、何れか一つの画像データ１３に相当する当該一の画像Ｐ（すなわち、先のステップＳ３の動作により表示されている画像Ｐと同じ画像グループＧＧに属する他の画像Ｐ）を表示部２４に表示する（ステップＳ３）。これ以降、システム制御部２７は、上述してきたステップＳ３乃至Ｓ７の動作を、当該表示されている画像Ｐについて繰り返す。
【００４９】
次に、図４及び図５を用いて説明した動作について、より具体的に地図等を例示しつつ、図６を用いて説明する。
【００５０】
図６に示す地図においては、先ず道路Ｄ２０は交差点Ｚにより道路Ｄ２３と交差している。また道路Ｄ２３は交差点Ｙにより道路Ｄ２１と交差しており、更に交差点Ｗにより道路Ｄ２２と交差している。そして交差点Ｗからは道路Ｄ２５が分岐している。更にまた道路Ｄ２４は交差点Ｘにより道路Ｄ２１と交差しており、更に交差点Ｖにより道路Ｄ２２と交差している。
【００５１】
そして、図６を用いた説明の上では、以下の三点がその前提とされている。
（ア）携帯電話ＭＰの使用者が現在実際に位置している交差点は交差点Ｚであるが、そのことを当該使用者は認識できない。
（イ）当該使用者が交差点Ｚに至るまでに移動してきた実際の経路は、図６中に一点鎖線で示すように、交差点Ｖ→交差点Ｘ→交差点Ｙ→交差点Ｚであるが、この経路を当該使用者は認識していない。
（ウ）当該使用者は、交差点Ｖのみを現在認識（記憶）している。
【００５２】
なお、図６に例示する場合には、携帯電話ＭＰの記憶部２６には、交差点Ｘに対応付けられ且つ相互に関連付けられた画像Ｐx1、画像Ｐx2及び画像Ｐx3からなる画像グループＧＧＰx、交差点Ｙに対応付けられ且つ相互に関連付けられた画像Ｐy1、画像Ｐｙ2、画像Ｐy3及び画像Ｐy4からなる画像グループＧＧＰｙ、交差点Ｚに対応付けられ且つ相互に関連付けられた画像Ｐz1、画像Ｐz2及び画像Ｐz3からなる画像グループＧＧＰｚ、交差点Ｖに対応付けられ且つ相互に関連付けられた画像Ｐv1、画像Ｐv2、画像Ｐv3及び画像Ｐv4からなる画像グループＧＧＰｖ並びに交差点Ｗに対応付けられ且つ相互に関連付けられた画像Ｐw1、画像Ｐw2、画像Ｐw3及び画像Ｐw4からなる画像グループＧＧＰｗが、夫々不揮発性に記憶されていることになる。
【００５３】
更に、各画像グループＧＧ相互の対応関係を示すデータとしては、先ず交差点Ｖについての画像Ｐv1に対応する画像ファイルＧＦＰv1内のポインタ１２には、当該交差点Ｖと道路Ｄ２２を介して接続されている交差点Ｗに対応する画像グループＧＧＰｗに属する画像Ｐw1、画像Ｐw2、画像Ｐw3又は画像Ｐw4のうちいずれか一つに対応する画像ファイルＧＦＰwに含まれる画像データ１３の記憶部２６上の記憶位置が記述され、また同様に、交差点Ｖについての画像Ｐv2に対応する画像ファイルＧＦＰv2内のポインタ１２には、当該交差点Ｖと道路Ｄ２４を介して接続されている交差点Ｘに対応する画像グループＧＧＰｘに属する画像Ｐx1、画像Ｐx2又は画像Ｐx3のうちいずれか一つに対応する画像ファイルＧＦＰxに含まれる画像データ１３の記憶部２６上の記憶位置が記述されている。
【００５４】
更に、交差点Ｗについての画像Ｐw3に対応する画像ファイルＧＦＰw3内のポインタ１２には、当該交差点Ｗと道路Ｄ２２を介して接続されている交差点Ｖに対応する画像グループＧＧＰｖに属する画像Ｐv1、画像Ｐv2、画像Ｐv3又は画像Ｐv4のうちいずれか一つに対応する画像ファイルＧＦＰvに含まれる画像データ１３の記憶部２６上の記憶位置が記述され、また同様に、交差点Ｗについての画像Ｐw2に対応する画像ファイルＧＦＰw3内のポインタ１２には、当該交差点Ｗと道路Ｄ２３を介して接続されている交差点Ｙに対応する画像グループＧＧＰｙに属する画像Ｐy1、画像Ｐy2、画像Ｐy3又は画像Ｐy4のうちいずれか一つに対応する画像ファイルＧＦＰyに含まれる画像データ１３の記憶部２６上の記憶位置が記述されている。
【００５５】
更にまた、交差点Ｘについての画像Ｐx3に対応する画像ファイルＧＦＰx3内のポインタ１２には、当該交差点Ｘと道路Ｄ２４を介して接続されている交差点Ｖに対応する画像グループＧＧＰｖに属する画像Ｐv1、画像Ｐv2、画像Ｐv3又は画像Ｐv4のうちいずれか一つに対応する画像ファイルＧＦＰvに含まれる画像データ１３の記憶部２６上の記憶位置が記述され、また同様に、交差点Ｘについての画像Ｐx1に対応する画像ファイルＧＦＰx1内のポインタ１２には、当該交差点Ｘと道路Ｄ２１を介して接続されている交差点Ｙに対応する画像グループＧＧＰｙに属する画像Ｐy1、画像Ｐy2、画像Ｐy3又は画像Ｐy4のうちいずれか一つに対応する画像ファイルＧＦＰyに含まれる画像データ１３の記憶部２６上の記憶位置が記述されている。
【００５６】
また、交差点Ｙについての画像Ｐy4に対応する画像ファイルＧＦＰy4内のポインタ１２には、当該交差点Ｙと道路Ｄ２３を介して接続されている交差点Ｗに対応する画像グループＧＧＰｗに属する画像Ｐw1、画像Ｐw2、画像Ｐw3又は画像Ｐw4のうちいずれか一つに対応する画像ファイルＧＦＰｗに含まれる画像データ１３の記憶部２６上の記憶位置が記述され、また同様に、交差点Ｙについての画像Ｐy3に対応する画像ファイルＧＦＰy3内のポインタ１２には、当該交差点Ｙと道路Ｄ２１を介して接続されている交差点Ｘに対応する画像グループＧＧＰｘに属する画像Ｐx1、画像Ｐx2又は画像Ｐx3のうちいずれか一つに対応する画像ファイルＧＦＰｘに含まれる画像データ１３の記憶部２６上の記憶位置が記述されている。更に交差点Ｙについての画像Ｐy2に対応する画像ファイルＧＦＰy2内のポインタ１２には、当該交差点Ｙと道路Ｄ２３を介して接続されている交差点Ｚに対応する画像グループＧＧＰｚに属する画像Ｐz1、画像Ｐz2又は画像Ｐz3のうちいずれか一つに対応する画像ファイルＧＦＰｚに含まれる画像データ１３の記憶部２６上の記憶位置が記述されている。
【００５７】
最期に、交差点Ｚについての画像Ｐz3に対応する画像ファイルＧＦＰｚ3内のポインタ１２には、当該交差点Ｚと道路Ｄ２３を介して接続されている交差点Ｙに対応する画像グループＧＧＰｙに属する画像Ｐy1、画像Ｐy2、画像Ｐy3又は画像Ｐy4のうちいずれか一つに対応する画像ファイルＧＦＰｙに含まれる画像データ１３の記憶部２６上の記憶位置が記述されている。
【００５８】
この図６に示す例において図５に示した本願の案内動作が実行される場合、先ず携帯電話ＭＰの使用者は、現在認識している交差点Ｖの名称を検索し（図５ステップＳ１参照）、次に当該交差点Ｖに対応する画像グループＧＧＰｖに属する画像Ｐv1、画像Ｐv2、画像Ｐv3及び画像Ｐv4を検索／特定して（図５ステップＳ２参照）、表示部２４に表示させる（図５ステップＳ３参照）。次いで使用者は、現在表示されている画像Ｐv1、画像Ｐv2、画像Ｐv3及び画像Ｐv4のいずれもが現在位置（交差点Ｚ）には合致していないが（図５ステップＳ４；ＮＯ）、上述した経路を辿っていることから画像Ｐv2に覚えがあることを操作部２５から入力する（図５ステップＳ６；ＹＥＳ）。これにより、システム制御部２７は、当該入力された画像Ｐv2に対応する画像ファイルＧＦＰv2内のポインタ１２の記述を手掛かりとして、交差点Ｖと道路Ｄ２４を介して接続されている交差点Ｘに対応する画像グループＧＧＰｘに属する画像Ｐx1、画像Ｐx2又は画像Ｐx3を検索／特定して（図５ステップＳ７参照）、表示部２４に表示させる（図５ステップＳ３参照）。
【００５９】
次いで使用者は、現在表示されている画像Ｐx1、画像Ｐx2、画像Ｐx3及び画像Ｐx4のいずれもが現在位置（交差点Ｚ）には合致していないが（図５ステップＳ４；ＮＯ）、上述した経路を辿っていることから画像Ｐx1に覚えがあることを操作部２５から入力する（図５ステップＳ６；ＹＥＳ）。これにより、システム制御部２７は、当該入力された画像Ｐx1に対応する画像ファイルＧＦＰｘ1内のポインタ１２の記述を手掛かりとして、交差点Ｘと道路Ｄ２１を介して接続されている交差点Ｙに対応する画像グループＧＧＰｙに属する画像Ｐy1、画像Ｐy2、画像Ｐy3又は画像Ｐy4を検索／特定して（図５ステップＳ７参照）、表示部２４に表示させる（図５ステップＳ３参照）。
【００６０】
更に使用者は、現在表示されている画像Ｐy1、画像Ｐy2、画像Ｐy3及び画像Ｐy4のいずれもが現在位置（交差点Ｚ）には合致していないが（図５ステップＳ４；ＮＯ）、上述した経路を辿っていることから画像Ｐy2に覚えがあることを操作部２５から入力する（図５ステップＳ６；ＹＥＳ）。これにより、システム制御部２７は、当該入力された画像Ｐy2に対応する画像ファイルＧＦＰｙ2内のポインタ１２の記述を手掛かりとして、交差点Ｙと道路Ｄ２３を介して接続されている交差点Ｚ（実際の現在位置）に対応する画像グループＧＧＰｚに属する画像Ｐz1、画像Ｐz2又は画像Ｐz3を検索／特定して（図５ステップＳ７参照）、表示部２４に表示させる（図５ステップＳ３参照）。
【００６１】
そして使用者は、現在表示されている画像Ｐz1、画像Ｐz2及び画像Ｐz3の中から現在位置の風景等に相当する画像Ｐzが認識できることになるので（図５ステップＳ４；ＹＥＳ）、その旨を操作部２５から入力することで、現在位置としての交差点Ｚの位置データＰＯＳを読み出して表示部２４上に表示させる（図５ステップＳ５参照）。
【００６２】
以上の一連の動作により、当該使用者が実際の現在位置たる交差点Ｚを、過去の自らの記憶を辿りつつ特定できることとなる。
【００６３】
以上夫々説明したように、実施形態に係る携帯電話ＭＰの案内動作によれば、各交差点等に夫々対応付けられた各画像グループＧＧと、一つの道路Ｄで接続された複数の交差点等に夫々対応付けられた複数の画像グループＧＧを相互に関連付ける画像ファイルＧＦ内のポインタ１２と、を記憶部２６内に記憶すると共に、当該ポインタ１２を用いて他の画像グループＧＧを検索してそれに含まれる画像Ｐを表示することを、操作部２５により画像Ｐが選択される度に繰り返すので、各道路Ｄに対応付けられる画像グループＧＧを選択してそれに属する画像Ｐを表示させることを道路Ｄ毎に繰り返すことで、例えば移動してきた地域の確認等の処理を迅速且つ確実に実行することができる。
【００６４】
従って、当該処理を迅速且つ確実に実行することができることで、自己の現在位置の確認等の処理を正確に行うことができる。
【００６５】
また、一又は複数の道路Ｄと接続された一又は複数の出口を有する一つの施設である場合（図１（ｂ）参照）でも、当該施設に関係する各道路Ｄに対応付けられる画像グループＧＧを選択してそれに属する画像Ｐを表示させることを道路Ｄ毎に繰り返すことで、当該施設を手掛かりに例えば移動してきた地域の確認等の処理を迅速且つ確実に実行することができる。
【００６６】
更に、各画像グループＧＧが、当該画像グループＧＧを構成する画像Ｐにより示される風景の道路Ｄに関係する交差点や施設の名称データＮＭと対応付けられていると共に、最初の画像グループＧＧを操作部２５を用いて選択するに当たり、入力された名称に基づいて対応する画像グループＧＧを検索するので、携帯電話ＭＰの使用者が入力した当該名称に基づいて最初の画像グループＧＧが選択されることで、当該使用者が所望する画像Ｐを迅速に表示させることができる。
【００６７】
更に、各交差点等が分岐点又は交差点のいずれかを含むものである場合でも、当該分岐点又は交差点に関係する各道路Ｄに対応付けられる画像グループＧＧを選択してそれに属する画像Ｐを表示させることを道路Ｄ毎に繰り返すことで、当該分岐点等を手掛かりに例えば移動してきた地域の確認等の処理を迅速且つ確実に実行することができる。
【００６８】
更にまた、画像グループＧＧに対応付けて位置データＰＯＳを記憶すると共に、最終的に表示部２４に表示された画像Ｐを含む画像グループＧＧに対応する位置データＰＯＳを表示部２４に表示するので、例えば、画像Ｐの選択と表示を繰り返して辿ってきた移動経路を経た最終的な現在位置を示す処理を確実に行うことができる。
【００６９】
また、記憶部２６内のデータ構造として、ポインタ１０乃至１２と、各画像Ｐ自体である画像データ１３と、により各画像ファイルＧＦが夫々構成されており、更に画像グループＧＧに相当するデータの先頭に名称データＮＭが記述されているので、当該データ構造を用いて道路Ｄ毎に到達先の画像グループＧＧを選択してそれに属する画像Ｐを表示させることを繰り返すことで、例えば、これまで移動してきた地域の確認等の処理を迅速且つ確実に実行することができる。
【００７０】
更に、表示部２４において画像Ｐを表示する際に、使用者により選択された画像Ｐ以外に、当該画像Ｐと同じ画像グループＧＧに属する他の画像Ｐも併せて表示するので、表示されている画像Ｐを比較しつつ例えば時間に沿って遡ることで、過去に移動した経路を容易に検索／確認することができる。
【００７１】
（II）変形形態
次に、本願に係る変形形態について説明する。
【００７２】
（Ａ）第一の変形形態
先ず、第一の変形形態として、上述した実施形態に係るデータ構造（図３参照）においては、画像Ｐ間又は画像グループＧＧ間の対応関係を示すものとして画像ファイルＧＦにポインタ１０乃至１２を記述しているが、これ以外に、当該画像Ｐ間又は画像グループＧＧ間の対応関係をいわゆるテーブル形式にて記憶部２６内に記憶させておいても良い。
【００７３】
この第一の変形形態の場合には、当該対応関係としてのテーブルと画像データ１３自体を分離することができ、画像データ１３等の管理上、好都合となる。
【００７４】
（Ｂ）第二の変形形態
また、第二の変形形態として、上述した実施形態では道路Ｄに沿った風景等を示す画像Ｐとして、交差点等からその道路Ｄを移動した際に目に入る風景等に相当する画像Ｐを道路Ｄ毎に別個に記憶する構成としたが、これ以外に、図７（ａ）に例示するようなパノラマ画像ＰＧを当該交差点等毎に全方位分記憶しておき、そのパノラマ画像ＰＧが対応している交差点等からの進路方向に相当する表示対象エリア（表示部２４上に実際に表示させる画像の領域）ＤＡを、そのパノラマ画像ＰＧの中で特定することとしてもよい。
【００７５】
この場合、例えば図１（ａ）に例示する交差点ｉに対応するパノラマ画像ＰＧとしては、図７（ａ）に示すように、図１（ａ）に示す画像Ｐi1乃至画像Ｐi4に相当する画像をこの順に連続するように含むパノラマ画像ＰＧとなる。そして、道路Ｄとの関係により、各画像Ｐiの先頭位置を基準として、表示対象エリアＤＡがパノラマ画像ＰＧ内を図７（ａ）において左右に移動することとなる。
【００７６】
これにより、パノラマ画像ＰＧとしての再生（表示）の停止が操作部２５において指定されたタイミングにおける表示対象エリアＤＡと各画像Ｐi夫々との重なりの程度を算出し、例えばその重なりが８０％以上となった画像Ｐiを、そのときに選択された画像Ｐiであると特定するように構成することができる（図５ステップＳ２、Ｓ７又はＳ８参照）。
【００７７】
より具体的に図７（ｂ）を用いて説明すると、先ず記憶部２６においては、パノラマ画像ＰＧの「０°」の撮影方向（図１（ａ）に例示する場合において道路Ｄ１に対応する方向）を「北」に設定してパノラマ画像ＰＧに相当する画像データとして記録しておく。ここで、操作部２５において選択された画像に対応するパノラマ画像ＰＧの表示方位角を「ｄ」とし、更に表示対象エリアＤＡを図７（ｂ）に示す方向の角度「Δｄ」で表すとする。そして、図７に例示する場合における交差点ｉに接続している道路Ｄ毎の方位角（「北」を基準として時計回りに測った角度）が、例えば夫々「ｄ１」、「ｄ２」、「ｄ３」及び「ｄ４」であるとする。
【００７８】
この場合において、例えば、表示対象エリアＤＡ内の角度が「ｄ−Δｄ/２」よりも大きく「Ｄ＋Δｄ/２」よりも小さい範囲に方位角「ｄ１」、「ｄ２」、「ｄ３」及び「ｄ４」のいずれかが一つだけ含まれているとすると、その含まれている方位角を中心に表示されている画像Ｐを、操作部２５において選択された画像とするように構成することができる。
【００７９】
以上説明した第二の変形形態によれば、画像グループＧＧに含まれる各画像Ｐに相当するパノラマ画像ＰＧが記憶部２６に記憶されているので、見易い状態でいずれかの道の風景等を選択することができる。
【００８０】
また、パノラマ画像ＰＧを用いることで、新たな交差点等についての画像Ｐを記憶部２６内に記憶させる場合においては当該交差点等におけるパノラマ画像ＰＧを新たに構成するだけで済むと共に、画像グループＧＧを作成する段階ではパノラマ画像ＰＧの一部を各道路Ｄ毎の画像Ｐとして特定することができることになる。
【００８１】
（Ｃ）第三の変形形態
更に、第三の変形形態として、上述した実施形態では、一の画像グループＧＧが一の交差点ｉ又はｋのみ或いは一の施設Ｆのみに対応している場合について説明したが、これ以外に、二以上の施設や地点を含む領域や公園又は墓地等の領域一つに対して、一の画像グループＧＧを対応付けることも可能である。この第三の変形形態について、図１及び図２を用いて例示した場合に準じて、図８乃至図１０を用いて具体的に説明する。なお図８及び図１０において破線で示される道路は、その道路を移動して行ったときに目に入る特徴的な風景等に対応する画像が記憶部２６内に記憶されていない道路である。
【００８２】
先ず図８（ａ）に例示するように、出口ＥＸ１乃至ＥＸ４を備える施設Ｆと、当該施設Ｆとは無関係の施設ＦＦと、が、それらの間に道路を挟むことなく隣接しているとする。そして、この施設Ｆ及びＦＦを含む領域に隣接している交差点が、交差点ｆ１、ｆ２、ｇ及びｈであるとする。この場合、本願のデータ構造によって施設Ｆに対応付けられる画像グループＧＧに属することとなるのは、施設Ｆのみを取り囲む（点線楕円参照）、図８（ａ）に例示する画像Ｐi1乃至Ｐi6である。そしてこれらの画像Ｐi1乃至Ｐi6が、当該施設Ｆに接続されている道路Ｄ１０乃至Ｄ１５の夫々について、当該施設Ｆからその道路を移動して行ったときに目に入る特徴的な風景等に相当する画像であることになる。
【００８３】
なお、図８（ａ）に例示する場合に相当するデータ構造を図３を用いて例示した場合に準じて示すと、図９に例示する如きものとなる。この図９では、施設Ｆに対応する画像グループＧＧＰｆには画像ファイルＧＦＰｆ1乃至ＧＦＰｆ6が含まれており、また交差点ｈに対応する画像グループＧＧＰｈには画像ファイルＧＦＰｈ1乃至ＧＦＰｈ4が含まれていることになる。そして、画像ファイルＧＦＰｆ5のポインタ１２内には、図８（ａ）において、交差点ｆ２と道路Ｄ１４を介して接続されている交差点ｈに対応する画像グループＧＧＰｈに属する画像Ｐh1に対応する画像ファイルＧＦＰｈに含まれる画像データ１３の記憶部２６上の記憶位置が記述されている。
【００８４】
次に図８（ｂ）に例示するように、出口ＥＸ１乃至ＥＸ４を備える施設Ｆと、当該施設Ｆに関連する施設Ｐ（例えば施設Ｆの利用者用の駐車場が施設Ｐである場合）と、が隣接しており、この施設Ｆ及びＰを含む領域に隣接している交差点が交差点ｆ１乃至ｆ４であるとする。この場合、本願のデータ構造によって施設Ｆ及びＰに対応付けられる画像グループＧＧに属することとなるのは、施設Ｆ及びＰを取り囲む（点線楕円参照）、図８（ｂ）に例示する画像Ｐi1乃至Ｐi8である。そしてこれらの画像Ｐi1乃至Ｐi8が、当該施設Ｆ及びＰに接続されている道路Ｄ１０乃至Ｄ１７の夫々について、当該施設Ｆ及びＰからその道路を移動して行ったときに目に入る特徴的な風景等に相当する画像であることになる。
【００８５】
また図１０（ａ）に例示するように、施設Ｆ１乃至Ｆ１１が、例えば商店街等を形成しつつ道路に面して並んで建てられており、この施設Ｆ１乃至Ｆ１１を含む領域に隣接している交差点が交差点ｆ１及びｆ２であるとする。この場合、本願のデータ構造によって施設Ｆ１乃至Ｆ１１により構成される商店街等に対応付けられる画像グループＧＧに属することとなるのは、当該商店街を構成する各施設を一括して取り囲む（点線楕円参照）、図１０（ａ）に例示する画像Ｐi1乃至Ｐi6である。そしてこれらの画像Ｐi1乃至Ｐi6が、当該商店街等に接続されている道路Ｄ１０乃至Ｄ１５の夫々について、当該商店街等からその道路を移動して行ったときに目に入る特徴的な風景等に相当する画像であることになる。
【００８６】
最後に図１０（ｂ）に例示するように、交差点ｆ１及びｆ２に接続されている公園ＰＫがあるとする。この場合、本願のデータ構造によって公園ＰＫに対応付けられる画像グループＧＧに属することとなるのは、当該公園ＰＫ自体の敷地やそれに含まれる道路等（図１０（ｂ）破線参照）を一括して取り囲む（点線楕円参照）、図１０（ｂ）に例示する画像Ｐi1乃至Ｐi6である。そしてこれらの画像Ｐi1乃至Ｐi6が、当該公園ＰＫに接続されている道路の夫々について、当該公園ＰＫからその道路を移動して行ったときに目に入る特徴的な風景等に相当する画像であることになる。
【００８７】
（Ｄ）第四の変形形態
最後に第四の変形形態として、一の交差点等に対応する画像グループＧＧではなく、複数の交差点等を含む領域に対応する画像グループＧＧを記憶部２６に記憶しておき、表示部２４に表示される画像Ｐとして当該複数の交差点等が認識できるような表示態様としても良い。
【００８８】
より具体的には、図１１に例示するように、交差点Ｂ１、Ｂ４、Ｄ１及びＥ１を含む領域を交差点Ａから俯瞰して見た際の風景に相当する画像Ｐa1を、当該交差点Ｂ１、Ｂ４、Ｄ１及びＥ１を含む領域に対応する画像グループＧＧ1を構成する画像Ｐとして記憶部２６に記憶しておく構成とすることができる。また同様に、交差点Ｂ１及びＣ１を含む領域を交差点Ａから俯瞰して見た際の風景に相当する画像Ｐa1'を、当該交差点Ｂ１及びＣ１を含む領域に対応する画像グループＧＧ2を構成する画像Ｐとして記憶部２６に記憶しておく構成とすることができる。
【００８９】
このように構成することで、例えば複数の交差点が近接して存在する都市部において本願を適用する場合等において、本願に係る画像Ｐとして当該複数の分岐点が視覚上識別可能に表現されることになり、結果として画像グループＧＧからの画像Ｐの選択がより容易且つ直感的に実行できるようになる。
【００９０】
また、交差点Ａから何らかのランドマーク（著名な建物や目立つ建物等のランドマーク）が見える場合、例えば図１１に例示する画像Ｐa1又はＰa1'の如くそのランドマークを視認可能な複数の交差点等を含む領域を一つの画像グループＧＧに対応させることで、画像Ｐの選択工程を削減することができることになる。
【００９１】
更に本願は、実施形態及び上記各変形形態において説明した携帯電話ＭＰに対してだけでなく、携帯型の情報処理装置、例えば小型のパーソナルコンピュータやいわゆるＰＤＡ（Personal Data Assistance）に適用することも可能である。
【００９２】
更にまた、上記図５に記載されたフローチャートに相当するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態又は各変形形態に係るシステム制御部２７として活用することも可能である。
【図面の簡単な説明】
【００９３】
【図１】本願の原理を説明する図（Ｉ）であり、（ａ）は本願における道路と交差点等との関係を例示する図であり、（ｂ）は複数の出口等を含む施設と本願に係る画像との関係を例示する図である。
【図２】本願の原理を説明する図（II）であり、（ａ）は複数の出口等を含む施設と本願に係る画像との関係を例示する図（Ｉ）であり、（ｂ）は複数の出口等を含む施設と本願に係る画像との関係を例示する図（II）である。
【図３】本願に係る画像グループのデータ構造を例示する図である。
【図４】実施形態に係る携帯電話の概要構成を示すブロック図である。
【図５】実施形態に係る案内動作を示すフローチャートである。
【図６】実施形態に係る案内動作の推移を例示する図である。
【図７】第二の変形形態を例示する図であり、（ａ）は当該変形形態に係るパノラマ画像の構成を例示する図であり、（ｂ）は当該パノラマ画像における表示対象エリアを示す図である。
【図８】第三の変形形態を例示する図（Ｉ）であり、（ａ）は当該変形形態に係る施設と本願に係る画像との関係を例示する図（Ｉ）であり、（ｂ）は当該変形形態に係る施設と本願に係る画像との関係を例示する図（II）である。
【図９】第三の変形形態に係る画像グループのデータ構造を例示する図である。
【図１０】第三の変形形態を例示する図（II）であり、（ａ）は当該変形形態に係る施設と本願に係る画像との関係を例示する図（III）であり、（ｂ）は当該変形形態に係る施設と本願に係る画像との関係を例示する図（IV）である。
【図１１】第四の変形形態を例示する図である。
【符号の説明】
【００９４】
１０、１１、１２    ポインタ
１３    画像データ
２１    通信部
２２    音声入力部
２３    音声出力部
２４    表示部
２５    操作部
２６    記憶部
２７    システム制御部
２８    バス
Ｆ    施設
Ｃ    周回道路
ＮＭ    名称データ
ＰＯＳ    位置データ
ＭＰ    携帯電話
ＰＧ    パノラマ画像
ＤＡ    表示対象エリア
Ｄ１、Ｄ２、Ｄ３、Ｄ４、Ｄ１０、Ｄ１１、Ｄ１２、Ｄ１３、Ｄ１４、Ｄ１５、Ｄ１６、Ｄ１７、Ｄ２０、Ｄ２１、Ｄ２２、Ｄ２３、Ｄ２４、Ｄ２５    道路
ｉ、ｋ、Ｖ、Ｗ、Ｘ、Ｙ、Ｚ、Ｂ１、Ｂ２、Ｂ３、Ｂ４、Ｃ１、Ｄ１、Ｄ２、Ｅ１、ｆ１、ｆ２、ｆ３、ｆ４、ｇ、ｈ    交差点
Ｐi1、Ｐi2、Ｐi3、Ｐi4、Ｐk1、Ｐk2、Ｐk3、Ｐf1、Ｐf2、Ｐf3、Ｐf4、Ｐf5、Ｐf6、Ｐf7、Ｐf8、Ｐx1、Ｐx2、Ｐx3、Ｐy1、Ｐｙ2、Ｐy3、Ｐy4、Ｐz1、Ｐz2、Ｐz3、Ｐv1、Ｐv2、Ｐv3、Ｐv4、Ｐw1、Ｐw2、Ｐw3、Ｐw4、Ｐa1、Ｐa1'    画像
ＧＧＰi、ＧＧＰk、ＧＧＰｖ、ＧＧＰｗ、ＧＧＰx、ＧＧＰｙ、ＧＧＰｚ、ＧＧ1、ＧＧ2    画像グループ
ＧＦＰi1、ＧＦＰi2、ＧＦＰi3、ＧＦＰi4、ＧＦＰk1、ＧＦＰk2、ＧＦＰk3、ＧＦＰf1、ＧＦＰf2、ＧＦＰf3、ＧＦＰf4、ＧＦＰf5、ＧＦＰf6、ＧＦＰh1、ＧＦＰh2、ＧＦＰh3、ＧＦＰh4    画像ファイル
【図１】
2010139254.tif 000003
【図２】
2010139254.tif 000004
【図３】
2010139254.tif 000005
【図４】
2010139254.tif 000006
【図５】
2010139254.tif 000007
【図６】
2010139254.tif 000008
【図７】
2010139254.tif 000009
【図８】
2010139254.tif 000010
【図９】
2010139254.tif 000011
【図１０】
2010139254.tif 000012
【図１１】
2010139254.tif 000013